(57)【要約】【課題】  大画面のディスプレイに皺が生じることなく容易に貼り付けることのできる反射防止フィルムの貼付ユニットを提供すること。【解決手段】  被貼付材の表面に貼付するものであって、フィルム本体２ｂに該本体２ｂの裏面に剥離紙２ｄが貼付され、巻かれているフィルム２と，フィルム２の先端部に取り付けられ貼付するディスプレイに係止し該フィルム２を引き出す取り出し口（固定手段）３と，フィルム２から剥離した剥離紙２ｄをフィルム２の引き出し速度と等速で巻き取る巻取ドラム４と，被貼付材の表面に沿って駆動し、巻取ドラム４を回転駆動させる駆動機構５とを備え，駆動機構５によって駆動機構５によって巻取ドラム４を回転させて剥離紙２ｄをフィルム２のフィルム本体２ｂから剥離して巻き取る。【選択図】    図２
2009288423.tif 000002
【特許請求の範囲】
【請求項１】
被貼付材の表面に貼付するものであって、フィルム本体に該本体の裏面に剥離紙が貼付され、巻かれているフィルムと，
前記フィルムの先端部に取り付けられ貼付するディスプレイに係止し該フィルムを引き出す取り出し口（固定手段）と，
前記フィルムから剥離した前記剥離紙を前記フィルムの引き出し速度と等速で巻き取る巻取ドラムと，
前記被貼付材の表面に沿って駆動し、前記巻取ドラムを回転駆動させる駆動機構と
を備え，
前記駆動機構によって前記駆動機構によって前記巻取ドラムを回転させて前記剥離紙を前記フィルムのフィルム本体から剥離して巻き取るようにしたことを特徴とするフィルムの貼付ユニット。
【請求項２】
前記駆動機構は，
前記被貼付材の表面上を転動する駆動ローラと、該駆動ローラに取り付けられた駆動側ギヤとによって構成した
ことを特徴とする請求項１に記載のフィルムの貼付ユニット。
【請求項３】
前記巻取ドラムは，
その一端に巻取用ギヤを設け，
前記駆動側ギヤに噛合し、前記駆動機構の回転力を伝導するものである
ことを特徴とする請求項１又は２に記載のフィルムの貼付ユニット。
【請求項４】
前記取り出し口（固定手段）は，
前記被貼付材に係止可能に構成したものである請求項１，２又は３に記載のフィルムの貼付ユニット。
【請求項５】
前記フィルムと、前記巻取ドラムと、前記駆動機構は，
１つの収納ボックス内に収納し、ユニット化したものである請求項１，２，３又は４に記載のフィルムの貼付ユニット。
【請求項６】
前記フィルムは，
前記被貼付材の大きさに合わせて丈を設定し、切り取るための切断機構を設けたものである請求項１，２，３，４又は５に記載のフィルムの貼付ユニット。
【請求項７】
前記フィルムは，
ドラムに巻き付けられてフィルム収納ケースに収納されているものである請求項１，２，３，４，５又は６に記載のフィルムの貼付ユニット。
【発明の詳細な説明】
【技術分野】
【０００１】
本発明は、フィルムの貼付ユニットに係り、特に、テレビ、パソコン等のフラットパネルディスプレイに貼付する反射防止フィルムを位置決めを簡単にでき素人でも容易に貼付することのできるフィルムの貼付ユニットに関する。
【背景技術】
【０００２】
一般にテレビ、パソコン等の表示体は、表示体の内側表面に画像を写し出し、その画像を表示体の外側から見るように構成されている。このテレビ、パソコン等の表示体には、液晶画面、ＥＬ表示画面、プラズマ表示画面、ブラウン管画面等がある。これら表示体は、周囲が暗い程鮮明に見ることができる。しかしながら、これら表示体は、夜間の周囲が暗くなったときばかりではなく、昼間に盛んに使用される。
【０００３】
昼間は、周囲が明るく、表示体表面が、外部光源、太陽光源等にさらされる状況にある。この外部光源、太陽光源等は、表示体表面に光を照射することが多く、表示体の表面に光が照射されると、表示体表面から外部光源、太陽光源等が反射し、表示体表面に表示される画像が、見にくくなるという傾向があった。
【０００４】
そこで、従来は、表示体の画面表面に処理を施して、表示体表面に照射される外部光源、太陽光源等が反射するのを防ぐことが行われている。このように表示体の画面表面に処理を施すことにより、表示体表面に外部光源、太陽光源等が照射されても、表示体表面からの反射がなくなり、表示体の画面表面に表示される画像が、見にくくなるという問題は緩和されている。
【発明の開示】
【発明が解決しようとする課題】
【０００５】
このような表示体の画面表面からの外部光源、太陽光源等の反射を防ぐための処理として、従来から、表示体の画面表面につや消し処理を施したり、あるいは、反射防止シート、反射防止パネル等を取り付ける等の方法が行われている。
表示体の画面表面につや消し処理を施す方法は、表示体の画面の表面につや消し剤を塗布する等の処理を行うため、コストが高くなるという問題がある。
また、このように表示体の画面の表面につや消し剤を塗布する方法の場合、既に消費者の手に渡ってしまった表示体の場合には、つや消し剤による反射防止の処理ができなかったり、つや消し剤による反射防止の処理がうまくいかないという問題点を有している。
【０００６】
また、反射防止シート、反射防止パネルを取り付ける等の方法の場合には、反射防止シート、反射防止パネルを貼り付けた後の表示体の画面の表面は、反射防止シート、反射防止パネルによって表示体の画面表面からの外部光源、太陽光源等の反射を防ぐことができる。
このように表示体の画面の表面に表示体の画面表面につや消し処理を施したり、あるいは、反射防止シート、反射防止パネルを取り付ける等の方法の処理を施すことにより、表示体の表面に外部光源、太陽光源等が照射されても、表示体表面からの反射がなくなり、表示体の画面の表面に表示される画像が、見にくくなるという問題が緩和されている。
【０００７】
このように反射防止パネルを表示体の表面に取り付けて表示体の表面に外部光源、太陽光源等が照射されたときの表示体表面からの反射を防止する方法の場合は、反射防止パネルと表示画面との間にギャップがあるため、表示体を斜めから見ると違和感があるという問題がある。
【０００８】
また、反射防止シートは、防止シートと剥離紙とが一体となっており、この剥離紙を剥がして防止シートを手作業で示体の表面に貼り付ける。このような反射防止シートを表示体の表面に貼り付けて表示体の表面に外部光源、太陽光源等が照射されたときの表示体表面からの反射を防止する方法の場合は、反射防止シートの防止シートと剥離紙とを剥離する際に、防止シートに静電気が発生し、ゴミを吸着する作用が生じる。
【０００９】
このため、携帯電話のような小さなディスプレイの場合は、ディスプレイに手で皺なく貼り付けることが簡単に行えるが、ディスプレイが４０インチを超えるような大画面のテレビの画面等の場合には、大画面のディスプレイに手で皺なく貼り付けることができないという問題点を有している。
その原因は、防止シートに発生する静電気によってゴミを吸着する点にあり、このゴミが防止シートに吸着され、防止シートを表示体の表面に貼り付けた際に、防止シートと表示体の表面との間に入り込み、これが表示体の表面に貼り付けた際に、表示体の表面と防止シートとの間に気泡を生じさせることによる。
【００１０】
しかしながら、ディスプレイが４０インチを超えるような大画面のテレビの画面に反射防止シートを貼り付けるための装置がなく、素人では大画面のディスプレイに位置合わせを容易に行うことができず、真っ直ぐ貼り付けることができないという問題点を有している。
また、ディスプレイが４０インチを超えるような大画面のテレビの画面に反射防止シートを貼り付けるための装置がないため、素人では大画面のディスプレイに手で皺を発生させることなく貼り付けることができないという問題点を有している。
【００１１】
本発明の目的は、大画面のディスプレイに皺が生じることなく容易に貼り付けることのできる反射防止フィルムの貼付ユニットを提供することにある。
【課題を解決するための手段】
【００１２】
本発明の目的を達成するために、請求項１に記載の発明に係る反射防止フィルムの貼付ユニットは、被貼付材の表面に貼付するものであって、フィルム本体に該本体の裏面に剥離紙が貼付され、ドラムに巻かれているフィルムと，前記フィルムの先端部に取り付けられ貼付するディスプレイに係止し該フィルムを引き出す取り出し口（固定手段）と，前記フィルムから剥離した前記剥離紙を前記フィルムの引き出し速度と等速で巻き取る巻取ドラムと，前記被貼付材の表面に沿って駆動し、前記巻取ドラムを回転駆動させる駆動機構とを備え，前記駆動機構によって前記駆動機構によって前記巻取ドラムを回転させて前記剥離紙を前記フィルムのフィルム本体から剥離して巻き取るようにしたことを特徴としている。
【００１３】
本発明の目的を達成するために、請求項２に記載の発明に係る反射防止フィルムの貼付ユニットは、請求項１に記載の発明における駆動機構を，前記被貼付材の表面上を転動する駆動ローラと、該駆動ローラに取り付けられた駆動側ギヤとによって構成したことを特徴としている。
【００１４】
本発明の目的を達成するために、請求項３に記載の発明に係る反射防止フィルムの貼付ユニットは、請求項１又は２に記載の発明における巻取ドラムを，その一端に巻取用ギヤを設け，前記駆動側ギヤに噛合し、前記駆動機構の回転力を伝導するものであることを特徴としている。
【００１５】
本発明の目的を達成するために、請求項４に記載の発明に係る反射防止フィルムの貼付ユニットは、請求項１，２又は３に記載の発明における取り出し口（固定手段）を，前記被貼付材に係止可能に構成したことを特徴としている。
【００１６】
本発明の目的を達成するために、請求項５に記載の発明に係る反射防止フィルムの貼付ユニットは、請求項１，２，３又は４に記載の発明における反射防止フィルムの貼付ユニットを構成するフィルムと巻取ドラムと駆動機構とを，１つの収納ボックス内に収納し、ユニット化したことを特徴としている。
【００１７】
本発明の目的を達成するために、請求項６に記載の発明に係る反射防止フィルムの貼付ユニットは、請求項１，２，３，４又は５に記載の発明におけるフィルムを，前記被貼付材の大きさに合わせて丈を設定し、切り取るための切断機構を設けたものであることを特徴としている。
【００１８】
本発明の目的を達成するために、請求項７に記載の発明に係る反射防止フィルムの貼付ユニットは、請求項１，２，３，４，５又は６に記載の発明におけるフィルムを，ドラムに巻き付けてフィルム収納ケースに収納するようにしたものであることを特徴としている。
【発明の効果】
【００１９】
請求項１に記載された本発明によれば、フラットな大画面のディスプレイに皺を生じさせることなく容易に貼り付けることができる。
【００２０】
請求項２に記載された本発明によれば、フラットな大画面のディスプレイの表面に沿ってディスプレイの表面上をスムーズに動かすことができる。
【００２１】
請求項３に記載された本発明によれば、巻取ドラムを駆動側ギヤによって駆動するため、スムーズに剥離紙を巻き取ることができる。
【００２２】
請求項４に記載された本発明によれば、取り出し口（固定手段）を，被貼付材に係止することにより、フラットな大画面のディスプレイの表面の縦方向に対して曲がることなく、フィルムをフラットな大画面のディスプレイの表面に沿って容易にフィットさせることができる。
【００２３】
請求項５に記載された本発明によれば、反射防止フィルムの貼付ユニットを構成するフィルムと巻取ドラムと駆動機構とを，１つの収納ボックス内に収納し、ユニット化することにより、運搬を容易にすることができ、反射防止フィルムの貼付作業を誰にでも簡単に行えるようにすることができる。
【００２４】
請求項６に記載された本発明によれば、フィルムを，被貼付材の大きさに合わせて丈を設定して自由な丈で切断できるため、フラットな大画面のディスプレイの表面の縦方向の長さを自由に設定することができる。
【発明を実施するための最良の形態】
【００２５】
以下、本発明に係る反射防止フィルムの貼付ユニットの実施例について、図１〜図１２を参照しながら説明する。
図１は本発明の反射防止フィルムの貼付ユニットの一実施の形態を示す全体構成図、図２は図１に図示の本発明の反射防止フィルムの貼付ユニットの分解構成斜視図、図３は図２に図示の本発明の反射防止フィルムの貼付ユニットに用いる反射防止フィルムの構成図、図４は図１に図示の本発明の反射防止フィルムの貼付ユニットの反射防止フィルムの自己粘着樹脂層に塗布されている剥離紙（セパレータ）の先端にリードフィルムが取り付けられている状態を示す図、図５はフィルム収納ケースにフィルムが収納された状態を示す図である。
【００２６】
また、図６は図１に図示の本発明の反射防止フィルムの貼付ユニットの反射防止フィルムの取り出し口（固定手段）を示す図、図７は図１に図示の本発明の反射防止フィルムの貼付ユニットの反射防止フィルムの送り機構を示す図、図８は図１に図示の本発明の反射防止フィルムの貼付ユニットの駆動機構と剥離紙の巻き取り機構との関係を示す図、図９はフィルムストッパーの構成図、図１０は図９に図示のフィルムストッパーの側面図、図１１は図１に図示の本発明の反射防止フィルムの貼付ユニットの駆動機構によって反射防止フィルムが貼付されていく動作を説明するための図、図１２は反射防止フィルムを被貼付材（テレビ、パソコン等の表示体）の最下段の位置で切り取り、収納ボックスからフィルム基材を切り離した状態を示す図である。
【００２７】
図１，図２において、反射防止フィルムの貼付ユニット１は、テレビ、パソコン等の表示体、例えば、液晶画面、ＥＬ表示画面、プラズマ表示画面、ブラウン管画面等に外部光源、太陽光源等が当たったときに外部光源、太陽光源等がテレビ、パソコン等の表示体から反射するのを防止する反射防止フィルムをテレビ、パソコン等の表示体の表面に貼付するための装置である。
この反射防止フィルムの貼付ユニット１は、フィルム２と、取り出し口（固定手段）３と、巻取ドラム４と、駆動機構５とによって構成されている。
【００２８】
フィルム２は、反射防止フィルムであって、被貼付材であるテレビ、パソコン等の表示体、例えば、液晶画面、ＥＬ表示画面、プラズマ表示画面、ブラウン管画面等の表面に貼付し、被貼付材に外部光源、太陽光源等が当たったときに外部光源、太陽光源等がテレビ、パソコン等の表示体から反射するのを防止するためのものである。
【００２９】
このフィルム２は、図３に示す如き構成を有している。すなわち、フィルム２は、オレフィン系エラストマーの素材をポリエステルフィルムに薄膜コーティングした自己粘着性フィルムシートである。すなわち、ポリエステルフィルムを主な支持体とし、特殊ポリオレフィン系エラストマー樹脂をコーティングした表面保護・表面装飾用の粘着フィルムシートである。
【００３０】
具体的には、このフィルム２は、オレフィン系エラストマーを素材とする高透明ポリエステルフィルムによって構成されるフィルム基材２ｂを有している。このフィルム基材２ｂは、テレビ、パソコン等の表示体、例えば、液晶画面、ＥＬ表示画面、プラズマ表示画面、ブラウン管画面等に貼付されて反射を防止するためのフィルムとしてテレビ、パソコン等の表示体の表面に貼付されることになる。このフィルム基材２ｂの一方の面（表面）に反射防止剤２ａが薄膜コーティングされている。
【００３１】
また、このフィルム基材２ｂの他方の面（裏面）には、紫外線を吸収するタイプのエラストマーによって構成される自己粘着樹脂層２ｃの貼付されている剥離紙（セパレータ）２ｄが設けられている。この自己粘着樹脂層２ｃは、いわゆる粘着剤に相当するもので、この自己粘着樹脂層２ｃには、ゲル状のもの、ノリ状のもの、微粘着のものと３種類が市販されている。この自己粘着樹脂層２ｃとしては、ゲル状のもの、ノリ状のもの、微粘着のもののいずれを用いてもよい。
【００３２】
また、このフィルム基材２ｂには、剥離紙（セパレータ）２ｄがフィルム基材２ｂに取り付けられている。自己粘着樹脂層２ｃを介して剥離紙（セパレータ）２ｄが貼付されている。このフィルム基材２ｂは、剥離紙（セパレータ）２ｄに貼付されている自己粘着樹脂層２ｃの樹脂と剥離し、フィルム基材２ｂだけが自己粘着樹脂層２ｃから剥がれるようになっている。
そして、このフィルム基材２ｂに貼付されて、自己粘着樹脂層２ｃが塗布されている剥離紙（セパレータ）２ｄの先端には、図４に示す如く、リードフィルム２ｆが取り付けられている。このリードフィルム２ｆは、フィルム基材２ｂから剥離紙（セパレータ）２ｄを剥がす際の剥離紙（セパレータ）２ｄの引き出し部に相当するものである。すなわち、このリードフィルム２ｆは、巻取ドラム４に剥離紙（セパレータ）２ｄを巻き取るためのものである。
【００３３】
また、この剥離紙（セパレータ）２ｄの己粘着樹脂層２ｃの塗布側とは反対側には、マット処理層２ｅが設けられ、このマット処理層２ｅの上に帯電防止処理処理層２ｆが設けられている。
このように、フィルム２は、反射防止剤２ａ、フィルム基材２ｂ、自己粘着樹脂層２ｃ、剥離紙（セパレータ）２ｄ、マット処理層２ｅ、帯電防止処理処理層２ｆが積層されて構成されている。
そして、このように構成されるフィルム２の内、テレビ、パソコン等の表示体、例えば、液晶画面、ＥＬ表示画面、プラズマ表示画面、ブラウン管画面等に貼付されるのは、表面に反射防止剤２ａが薄膜コーティングされているフィルム基材２ｂだけである。
【００３４】
このようにテレビ、パソコン等の表示体、例えば、液晶画面、ＥＬ表示画面、プラズマ表示画面、ブラウン管画面等に貼付されたフィルム基材２ｂは、表面に薄膜コーティングされている反射防止剤２ａによって、テレビ、パソコン等の表示体の表面に照射される光の反射を防止し、光の反射によって生じる見えにくくなるのを改善することができる。
さらに、フィルム基材２ｂをテレビ、パソコン等の表示体、例えば、液晶画面、ＥＬ表示画面、プラズマ表示画面、ブラウン管画面等に貼付することにより、物がテレビ、パソコン等の表示体の表面に当たって傷が生じるのを防止することができる。
【００３５】
このように構成されるフィルム２は、丸められて収納されるか、ドラム６に巻かれて収納されている。この丸められたフィルム２は、そのまま、あるいはドラム６に巻かれた状態で、フィルム収納ケース７に収納されている。
図５には、フィルム収納ケース７にフィルム２が収納された状態が示されている。図５に示す如く、このフィルム収納ケース７は、直方体の箱状に形成されており、フィルム２を丸めて収納してあり、いずれかの側面にスリット（図示していない）が設けられており、このスリットからフィルム２を巻き出すようになっている。
【００３６】
このリードフィルム２ｆは、常時、フィルム収納ケース７に形成されるスリットから突出した状態にある。また、リードフィルム２ｆは、先端がとがった三角形状に形成されている。これは、リードフィルム２ｆを引き出してフィルム基材２ｂを剥離しながら引き出されるフィルム基材２ｂがフィルム収納ケース７に形成されるスリットに対して曲がることなく引き出されるようにするためである。
すなわち、リードフィルム２ｆは、フィルム基材２ｂをテレビ、パソコン等の表示体、例えば、液晶画面、ＥＬ表示画面、プラズマ表示画面、ブラウン管画面等に曲がることなく貼付するためにフィルム基材２ｂを真っ直ぐに引き出す作用をしている。
【００３７】
このリードフィルム２ｆは、フィルム基材２ｂをテレビ、パソコン等の表示体、例えば、液晶画面、ＥＬ表示画面、プラズマ表示画面、ブラウン管画面等に曲がることなく貼付するためにフィルム基材２ｂを引き出すに当たり、巻取ドラム４に先端を貼り付ける。
そして、フィルム基材２ｂをテレビ、パソコン等の表示体、例えば、液晶画面、ＥＬ表示画面、プラズマ表示画面、ブラウン管画面等に貼付するために引き出すことによって、フィルム基材２ｂに貼付されている剥離紙（セパレータ）２ｄを剥離して行く。そして、このフィルム基材２ｂから剥離した剥離紙（セパレータ）２ｄを巻取ドラム４を回転させることによって巻き取るようになっている。
【００３８】
このようにフィルム２は、フィルム収納ケース７に収納され、ロール状に丸めるか、または、ドラム６に巻かれた状態で、テレビ、パソコン等の表示体、例えば、液晶画面、ＥＬ表示画面、プラズマ表示画面、ブラウン管画面等の至近距離に、配置してある。
したがって、このフィルム収納ケース７は、必須の要件ではなく、丸めたフィルム２がばらけなければ、フィルム収納ケース７に収納しなくても問題はない。ただ、フィルム２に傷が付いたり、フィルム２が折れ曲がったりすることによる破損を防止するといった、保護の観点からは、フィルム２をフィルム収納ケース７に収納するのがよい。
【００３９】
また、フィルム２は、ドラム６に巻き付けて、このドラム６に巻き付けた状態で、このドラム６を、フィルム２と、取り出し口（固定手段）３と、巻取ドラム４と、駆動機構５とを収納する収納ボックス８の、内側の両側壁面に回転自在に取り付け、フィルム２を自在に引き出せるように形成することもできる。
このドラム６に巻き付けられているフィルム２は、前述のように自己粘着樹脂層２ｃが塗布されている剥離紙（セパレータ）２ｄがフィルム基材２ｂに貼付さた状態になっている。
【００４０】
取り出し口３は、フィルム２の反射防止剤２ａが表面に薄膜コーティングされているフィルム基材２ｂをテレビ、パソコン等の表示体、例えば、液晶画面、ＥＬ表示画面、プラズマ表示画面、ブラウン管画面等に取り付けるためのものである。すなわち、この取り出し口３は、フィルム基材２ｂの先端に取り付けられていて、フィルム基材２ｂをテレビ、パソコン等の表示体の表面に取り付ける際の取り付け位置の位置決めと、テレビ、パソコン等の表示体の表面に取り付ける際の固定手段を兼ねたものである。
【００４１】
このように取り出し口（固定手段）３は、被貼付材であるテレビ、パソコン等の表示体、例えば、液晶画面、ＥＬ表示画面、プラズマ表示画面、ブラウン管画面等の表面に取り付け可能に構成され、被貼付材への取り付け位置から、フィルム２を引き出すものである。
このように取り出し口（固定手段）３は、具体的には、図６に示す如き構成を有している。すなわち、取り出し口（固定手段）３は、長方形状の板材によって形成されるハンガー３ａによって構成されている。このハンガー３ａには、長手方向の両端部の近傍に長方形状の穴３ｂ，３ｃが設けられている。
【００４２】
この穴３ｂ，３ｃは、図２に示す如く、被貼付材であるテレビ、パソコン等の表示体の上端部の２箇所に取り付けるフック９ａ，９ｂを通して、フィルム２の先端の位置決めを行うとともに、フィルム２を引き出すためのものである。
この長方形状の板材によって形成されるハンガー３ａによって構成されている取り出し口（固定手段）３は、ドラム６に巻かれたフィルム２がフィルム収納ケース７に収納された状態で、フィルム収納ケース７から突出した状態になっている。
【００４３】
この取り出し口（固定手段）３は、ここでは被貼付材であるテレビ、パソコン等の表示体、例えば、液晶画面、ＥＬ表示画面、プラズマ表示画面、ブラウン管画面等の表面に取り付けるハンガー３ａによって構成する例が示されているが、取り出し口（固定手段）３は、必ずしもハンガー３ａで構成する必要はなく、被貼付材であるテレビ、パソコン等の表示体の上端部で、フィルム２の先端の位置決めを行うことができるもの、例えば、フィルム２の先端に接着剤を付けて構成する貼着部材であってもよい。
【００４４】
巻取ドラム４は、フィルム２の反射防止剤２ａが表面に薄膜コーティングされているフィルム基材２ｂから剥離した剥離紙（セパレータ）２ｄを巻き取るものである。この巻取ドラム４は、剥離紙（セパレータ）２ｄを巻き取る方向に回転することによって剥離紙（セパレータ）２ｄを巻き取り、剥離紙（セパレータ）２ｄに貼付するフィルム基材２ｂを巻き出すようになっている。
この巻取ドラム４は、フィルム２のフィルム基材２ｂから剥離した剥離紙（セパレータ）２ｄをフィルム基材２ｂの引き出し速度と等速で巻き取るようになっている。
【００４５】
この巻取ドラム４は、図２に示す如き構成を有している。すなわち、巻取ドラム４は、剥離紙（セパレータ）２ｄを巻き取る丸棒状に形成されるドラム本体４ａと、このドラム本体４ａの両端に突出して設けられ、ドラム本体４ａを収納ボックス８の内側の両側壁面に回転自在に支持する支持部材４ｂとによって構成されている。
この巻取ドラム４には、フィルム２の剥離紙（セパレータ）２ｄの先端に設けられているリードフィルム２ｆを貼り付け、巻取ドラム４を回転させることによって剥離紙（セパレータ）２ｄを巻き取る。
【００４６】
この巻取ドラム４による剥離紙（セパレータ）２ｄの巻き取り速度は、フィルム２のフィルム基材２ｂの巻き出し速度より速いと収納ボックス８の内で剥離紙（セパレータ）２ｄが剥離されたフィルム基材２ｂが弛んで溜まってしまい、フィルム２のフィルム基材２ｂの巻き出し速度より遅いと収納ボックス８の内でフィルム基材２ｂから剥離した剥離紙（セパレータ）２ｄが弛んで溜まってしまう。
このため、巻取ドラム４による剥離紙（セパレータ）２ｄの巻き取り速度と、フィルム２のフィルム基材２ｂの巻き出し速度とが等速になるように巻取ドラム４の径と巻取ドラム４の回転速度が設定されている。
【００４７】
駆動機構５は、被貼付材であるテレビ、パソコン等の表示体、例えば、液晶画面、ＥＬ表示画面、プラズマ表示画面、ブラウン管画面等の表面に沿って駆動し、巻取ドラム４を回転駆動させる機構である。この駆動機構５は、図２，図７，図８に示されている。すなわち、駆動機構５は、被貼付材であるテレビ、パソコン等の表示体、例えば、液晶画面、ＥＬ表示画面、プラズマ表示画面、ブラウン管画面等の表面を転動する２つの駆動ロール１０，１１を有しており、この２つの駆動ロール１０，１１は、フィルム２と、取り出し口（固定手段）３と、巻取ドラム４と、駆動機構５とを収納する収納ボックス８から、被貼付材であるテレビ、パソコン等の表示体、例えば、液晶画面、ＥＬ表示画面、プラズマ表示画面、ブラウン管画面等の表面側に突出するように設けられている。
【００４８】
すなわち、駆動ロール１０，１１が被貼付材であるテレビ、パソコン等の表示体、例えば、液晶画面、ＥＬ表示画面、プラズマ表示画面、ブラウン管画面等の表面に接触したときに、フィルム２と、取り出し口（固定手段）３と、巻取ドラム４と、駆動機構５とを収納する収納ボックス８が被貼付材であるテレビ、パソコン等の表示体、例えば、液晶画面、ＥＬ表示画面、プラズマ表示画面、ブラウン管画面等の表面に当たらないように構成されている。
また、この駆動ロール１０，１１のそれぞれには、図２，図８に示す如く，内側に駆動ギヤ１２，１３が設けられている。
【００４９】
フィルム２と、ハンガー３ａで構成される取り出し口（固定手段）３と、巻取ドラム４と、駆動機構５を収納する収納ボックス８からは、ハンガー３ａに形成されている長方形状の穴３ｂ，３ｃを容易に被貼付材であるテレビ、パソコン等の表示体の上端部の２箇所に取り付けるフック９ａ，９ｂに通せるように、予めハンガー３ａが突出した状態になっている。
このフィルム２のフィルム基材２ｂを被貼付材であるテレビ、パソコン等の表示体、例えば、液晶画面、ＥＬ表示画面、プラズマ表示画面、ブラウン管画面等に容易に貼付するには、収納ボックス８から突出しているハンガー３ａの穴３ｂ，３ｃをテレビ、パソコン等の表示体、例えば、液晶画面、ＥＬ表示画面、プラズマ表示画面、ブラウン管画面等に取り付けたフック９ａ，９ｂに通して、ハンガー３ａの位置決め、及び固定を行う。
【００５０】
その後、収納ボックス８を被貼付材であるテレビ、パソコン等の表示体、例えば、液晶画面、ＥＬ表示画面、プラズマ表示画面、ブラウン管画面等の表面に沿って除除に下げていく。この動作によって収納ボックス８内に収納されているフィルム２のフィルム基材２ｂから剥離紙（セパレータ）２ｄが剥離し、フィルム基材２ｂが巻き出されてくる。
このように構成することにより、フィルム２のフィルム基材２ｂを被貼付材であるテレビ、パソコン等の表示体、例えば、液晶画面、ＥＬ表示画面、プラズマ表示画面、ブラウン管画面等に容易に貼付することができる。
【００５１】
また、巻取ドラム４のドラム本体４ａの両端に突出して設けらている支持部材４ｂのそれぞれには、駆動機構５の駆動ロール１０，１１の内側に設けられている駆動ギヤ１２，１３に噛合する伝導ギヤ１４，１５が設けられている。この駆動機構５の駆動ロール１０，１１の内側に設けられている駆動ギヤ１２，１３と巻取ドラム４のドラム本体４ａの両端に突出して設けらている支持部材４ｂのそれぞれに設けられている駆動ギヤ１４，１５に噛合する伝導ギヤ１４，１５とを噛合させることによって、被貼付材であるテレビ、パソコン等の表示体、例えば、液晶画面、ＥＬ表示画面、プラズマ表示画面、ブラウン管画面等の表面に沿って駆動する駆動ロール１０，１１の回転力が巻取ドラム４のドラム本体４ａに伝えるようになっている。
【００５２】
駆動機構５の駆動ロール１０，１１の回転は、被貼付材であるテレビ、パソコン等の表示体、例えば、液晶画面、ＥＬ表示画面、プラズマ表示画面、ブラウン管画面等の表面にフィルム２の先端に設けられるハンガー３ａを取り付け、被貼付材であるテレビ、パソコン等の表示体、例えば、液晶画面、ＥＬ表示画面、プラズマ表示画面、ブラウン管画面等の表面に駆動ロール１０，１１を接触させ、駆動ロール１０，１１を被貼付材の表面に接触させたまま、フィルム２と、取り出し口（固定手段）３と、巻取ドラム４と、駆動機構５とを収納する収納ボックス８を少しずつ押し下げることによって行う。
このようにして、収納ボックス８を押し下げる速度が、被貼付材の表面に接触して転動する駆動機構５の駆動ロール１０，１１の回転力となる。
【００５３】
反射防止フィルムの貼付ユニット１には、フィルム２のフィルム基材２ｂを被貼付材であるテレビ、パソコン等の表示体、例えば、液晶画面、ＥＬ表示画面、プラズマ表示画面、ブラウン管画面等に取り付けられているフック９ａ，９ｂに引っ掛けたのち、反射防止フィルムの貼付ユニット１を手から離しても落下しないようにフィルムストッパー２０が設けられている。
具体的には、収納ボックス８内にフィルム２のフィルム基材２ｂを押さえ付けるものとして構成されている。すなわち、このフィルムストッパー２０は、収納ボックス８の内部の長手方向両側に設けられている。
【００５４】
このフィルムストッパー２０は、図９，１０に示す如き構成を有している。
図９，１０において、フィルムストッパー２０は、操作部２１と押さえ板部２２とによって構成されている。
操作部２１は、棒状に形成され、フィルムストッパー２０を作動・停止、すなわち、押さえ板部２２によってフィルム２のフィルム基材２ｂを押さえ付けたり、解除したりするものである。この操作部２１は、棒状本体２１ａを有しており、この棒状本体２１ａは、中央部に大径部２１ｂが形成されており、この大径部２１ｂの両端が小径部２１ｃとなっている。
この棒状本体２１ａの上部側の小径部２１ｃは、収納ボックス８の上壁８ａを貫通して設けられている。すなわち、収納ボックス８の上壁８ａには、操作部２１の小径部２１ｃが摺動可能な貫通孔８ａが設けられている。
【００５５】
また、棒状本体２１ａの大径部２１ｂは、小径部２１ｃよりも大きい径に形成されており、この大径部２１ｂは、収納ボックス８の上壁８ａに設けられている貫通孔８ａ内を通過できない大きさの径を有している。
また、棒状本体２１ａの大径部２１ｂの下端部には、押さえ板部２２が摺動自在に嵌合されている。そして、棒状本体２１ａの上部側の小径部２１ｃには、押さえ板部２２の端部が摺動自在に取り付けられている。そして、この押さえ板部２２の端部の下部の棒状本体２１ａの下部側の小径部２１ｃには、コイルスプリング２１ｄが嵌合している。
【００５６】
このコイルスプリング２１ｄは、棒状本体２１ａの大径部２１ｂを常時上方向に付勢しており、操作部２１を操作して下方に押圧しない限り棒状本体２１ａの大径部２１ｂの上端部が収納ボックス８の上壁８ａの内面に接触した状態となっている。
したがって、コイルスプリング２１ｄは、棒状本体２１ａの下部側の小径部２１ｃに嵌合している押さえ板部２２を常時、棒状本体２１ａの大径部２１ｂの下端部に押接するよように作用している。
【００５７】
押さえ板部２２は、板状に形成されており、棒状本体２１ａの下部側の小径部２１ｃに嵌合している側とは反対側が、フィルム２を押圧するようにフィルム２の内側の面に接するように曲げられた形状を有している。
また、押さえ板部２２は、操作部２１とは支持部材２３によってロール状に丸められて収納ボックス８に収納されているフィルム２を、操作部２１が操作されないときに、常時、フィルム２を押圧するように作用している。この支持部材２３は、２本の棒状に形成される棒体２３ａ，２３ｂによって板状に形成される押さえ板部２２を挟み込んで、この棒体２３ａ，２３ｂが支点の役目を果たしている。
【００５８】
このように構成される操作部２１は、操作しないとき、図９，１０に示す如く、コイルスプリング２１ｄの矢印Ａに示す付勢力によって、押さえ板部２２は、支持部材２３の棒体２３ａ，２３ｂによってテコのように棒状本体２１ａの下部側の小径部２１ｃに嵌合している側とは反対側の曲げられている先端部がロール状に丸められて収納ボックス８に収納されているフィルム２を押さえつけている。
この状態から、操作部２１の棒状本体２１ａを指で上方から押し下げると、棒状本体２１ａの大径部２１ｂがコイルスプリング２１ｄの付勢力に抗して押し下げられる。この下部に設けられている押さえ板部２２が押し下げられると、押さえ板部２２は、支持部材２３の棒体２３ａ，２３ｂによってテコのように棒状本体２１ａの下部側の小径部２１ｃに嵌合している側とは反対側の曲げられている先端部が上がり、ロール状に丸められて収納ボックス８に収納されているフィルム２の押圧を解除する。
【００５９】
また、操作部２１の棒状本体２１ａを指で上方から押し下げた状態から、操作部２１の棒状本体２１ａに掛けている指でを外し、操作部２１の棒状本体２１ａの押し下げを解除すると、操作部２１の棒状本体２１ａへの押圧力が無くなる。すると、コイルスプリング２１ｄの付勢力によって棒状本体２１ａの大径部２１ｂの下部の小径部２１ｃに嵌合している押さえ板部２２は、上昇する。
すると、押さえ板部２２は、支持部材２３の棒体２３ａ，２３ｂによってテコのように棒状本体２１ａの下部側の小径部２１ｃに嵌合している側とは反対側の曲げられている先端部が下がり、ロール状に丸められて収納ボックス８に収納されているフィルム２の押圧する。
【００６０】
次に、このように収納ボックス８に収納されているフィルム２の被貼付材であるテレビ、パソコン等の表示体、例えば、液晶画面、ＥＬ表示画面、プラズマ表示画面、ブラウン管画面等への貼付について説明する。
まず、被貼付材であるテレビ、パソコン等の表示体の上端部の２箇所にフック９ａ，９ｂを取り付ける。
次に、この２箇所にフック９ａ，９ｂに、収納ボックス８を、収納ボックス８から、２つの駆動ロール１０，１１が突出している側を、被貼付材であるテレビ、パソコン等の表示体、例えば、液晶画面、ＥＬ表示画面、プラズマ表示画面、ブラウン管画面等の表面側にして、収納ボックス８から突出しており、フィルム２の先端に取り付けられているハンガー３ａのに形成されている長方形状の穴３ｂ，３ｃを、図１に示す如く、通す。
【００６１】
そして、ドラム６に巻き付けてあるフィルム２の先端の部分で、フィルム基材２ｂから剥離紙（セパレータ）２ｄを剥がして、剥離紙（セパレータ）２ｄの先端を巻取ドラム４に取り付ける。しかる後、収納ボックス８から２つの駆動ロール１０，１１が突出している側を被貼付材であるテレビ、パソコン等の表示体の表面側に押接する。
そして、操作部２１の棒状本体２１ａを指で上方から押し下げ、支持部材２３の棒体２３ａ，２３ｂによってテコのように棒状本体２１ａの下部側の小径部２１ｃに嵌合している側とは反対側の曲げられている先端部を上げて、ロール状に丸められて収納ボックス８に収納されているフィルム２の押圧を解除する。
【００６２】
そして、収納ボックス８を被貼付材であるテレビ、パソコン等の表示体の表面側に押接した状態で、被貼付材であるテレビ、パソコン等の表示体の表面に沿って、突出する２つの駆動ロール１０，１１を転動させながらゆっくりした速度（具体的には、フィルム基材２ｂが被貼付材であるテレビ、パソコン等の表示体の表面に貼付される際に、フィルム基材２ｂと被貼付材との間に気泡が生じない程度の速度）で下方に引き下げる。
この駆動ロール１０，１１を転動させながらゆっくりした速度で下方に引き下げている間は、操作部２１の棒状本体２１ａを指で上方から押し下げた状態のままにし、操作部２１の棒状本体２１ａに掛けている指を外さない。
【００６３】
この収納ボックス８を引き下げると被貼付材であるテレビ、パソコン等の表示体の表面側に押接されている２つの駆動ロール１０，１１が転動する。このの駆動ロール１０，１１が転動すると、駆動ロール１０，１１の内側に設けられている駆動ギヤ１２，１３が回転する。この駆動ギヤ１２，１３の回転によって、駆動ギヤ１２，１３に噛合する伝導ギヤ１４，１５が回転し、巻取ドラム４が回転する。
このときの巻取ドラム４の回転速度は、駆動ロール１０，１１の転動速度と等速ではないが、巻取ドラム４の回転によって引き出されるフィルム２のフィルム基材２ｂの速度と、フィルム基材２ｂから剥離した剥離紙（セパレータ）２ｄを巻き取る速度と等速となっている。
【００６４】
このように収納ボックス８に収納されているフィルム２を被貼付材（テレビ、パソコン等の表示体）に貼付するには、図１１に示す如く、図１１（ａ）に図示のセット位置から、２つの駆動ロール１０，１１を転動させながらゆっくりと下方に引き下げを開始する。すると、図１１（ｂ）に図示のように収納ボックス８からは、フィルム２から剥離紙（セパレータ）２ｄを剥離されたフィルム基材２ｂが引き出され、被貼付材（テレビ、パソコン等の表示体）の表面に貼付される。この表面への貼付は、フィルム基材２ｂが静電気によって被貼付材（テレビ、パソコン等の表示体）の表面に引き寄せられることによって行われる。
そして、収納ボックス８が図１１（ｃ）に図示の如く下降していき、収納ボックス８が図１１（ｄ）に図示の如く被貼付材（テレビ、パソコン等の表示体）の最下段の位置に到達すると、図１２に図示の如く、剥離紙（セパレータ）２ｄを剥離されたフィルム２のフィルム基材２ｂを被貼付材（テレビ、パソコン等の表示体）の最下段の位置で切り取り、収納ボックス８からフィルム基材２ｂを切り離す。
【００６５】
しかる後、収納ボックス８を被貼付材（テレビ、パソコン等の表示体）から引き離す。
このように収納ボックス８から引き出されたフィルム２のフィルム基材２ｂは、自己の静電気によって被貼付材（テレビ、パソコン等の表示体）の表面に引き付き、フィルム基材２ｂと被貼付材との間に気泡を生じさせることなく被貼付材であるテレビ、パソコン等の表示体、例えば、液晶画面、ＥＬ表示画面、プラズマ表示画面、ブラウン管画面等に容易に貼付される。
【図面の簡単な説明】
【００６６】
【図１】本発明の反射防止フィルムの貼付ユニットの一実施の形態を示す全体構成図である。
【図２】図１に図示の本発明の反射防止フィルムの貼付ユニットの分解構成斜視図である。
【図３】図２に図示の本発明の反射防止フィルムの貼付ユニットに用いる反射防止フィルムの構成図である。
【図４】図１に図示の本発明の反射防止フィルムの貼付ユニットの反射防止フィルムの自己粘着樹脂層に塗布されている剥離紙（セパレータ）の先端にリードフィルムが取り付けられている状態を示す図である。
【図５】フィルム収納ケースにフィルムが収納された状態を示す図である。
【図６】図１に図示の本発明の反射防止フィルムの貼付ユニットの反射防止フィルムの取り出し口（固定手段）を示す図である。
【図７】図１に図示の本発明の反射防止フィルムの貼付ユニットの反射防止フィルムの送り機構を示す図である。
【図８】図１に図示の本発明の反射防止フィルムの貼付ユニットの駆動機構と剥離紙の巻き取り機構との関係を示す図である。
【図９】フィルムストッパーの構成図である。
【図１０】図９に図示のフィルムストッパーの側面図である。
【図１１】図１に図示の本発明の反射防止フィルムの貼付ユニットの駆動機構によって反射防止フィルムが貼付されていく動作を説明するための図である。
【図１２】反射防止フィルムを被貼付材（テレビ、パソコン等の表示体）の最下段の位置で切り取り、収納ボックスからフィルム基材を切り離した状態を示す図である。
【符号の説明】
【００６７】
１………………………反射防止フィルムの貼付ユニット
２………………………フィルム
３………………………取り出し口（固定手段）
４………………………巻取ドラム
５………………………駆動機構
６………………………ドラム
７………………………フィルム収納ケース
８………………………収納ボックス
１０，１１……………駆動ロール
１２，１３……………駆動ギヤ
１４，１５……………伝導ギヤ
２０……………………フィルムストッパー
２１……………………操作部
２２……………………押さえ板部
２３……………………ドラム
【図１】
2009288423.tif 000003
【図２】
2009288423.tif 000004
【図３】
2009288423.tif 000005
【図４】
2009288423.tif 000006
【図５】
2009288423.tif 000007
【図６】
2009288423.tif 000008
【図７】
2009288423.tif 000009
【図８】
2009288423.tif 000010
【図９】
2009288423.tif 000011
【図１０】
2009288423.tif 000012
【図１１】
2009288423.tif 000013
【図１２】
2009288423.tif 000014